(57)【要約】【課題】  トッププレートの色や色調の多様化を図りつつ、トッププレートに操作部を簡単に設けることができるようにする。【解決手段】  トッププレート７の下面には、金属材料からなる導電性薄膜が成膜されている。トッププレート７の左右端部には誘導加熱コイルの出力を調整するためのタッチ操作部３５が設けられている。前記タッチ操作部３５は、前記導電性薄膜の一部から構成されたタッチ検出電極４０を有する静電容量式のタッチスイッチ３７を備えている。タッチ検出電極４０は、トッププレート７の下面に成膜された接続パターン４４、導電電極４３を介してタッチ検出回路に接続される。【選択図】  図４
2005038739.tif 000002
【特許請求の範囲】
【請求項１】
誘導加熱コイルを有する誘導加熱手段と、
前記誘導加熱手段の上方に設けられ被加熱物が載置されるトッププレートと、前記トッププレートに設けられた操作部とを具備する誘導加熱調理器において、
前記トッププレートの表面には、金属、金属酸化物のいずれかからなる導電性薄膜が成膜され、
前記操作部は、前記導電性薄膜の一部から構成されたタッチ検出電極を有する静電容量式のタッチスイッチを備えていることを特徴とする誘導加熱調理器。
【請求項２】
導電性薄膜は光透過性を有し、
トッププレートのうちタッチ検出電極が設けられている部分の下方部に配置された光源を備えていることを特徴とする請求項１記載の誘導加熱調理器。
【請求項３】
導電性薄膜はトッププレートの下面に成膜され、
前記トッププレートの上面のうちタッチ検出電極を構成する前記導電性薄膜と対向する部分には、光源が発する光を透過させる透過部を有するタッチスイッチ表示用薄膜が設けられていることを特徴とする請求項２記載の誘導加熱調理器。
【請求項４】
導電性薄膜はトッププレートの下面に成膜され、
前記トッププレートの上面のうちタッチ検出電極を構成する前記導電性薄膜と対向する部分には、導電性補助電極が設けられていることを特徴とする請求項１記載の誘導加熱調理器。
【請求項５】
トッププレートのうちタッチ検出電極が設けられている部分の下方部に配置された光源を備え、
導電性補助電極は、前記光源が発する光を透過させる透過部を有することを特徴とする請求項４記載の誘導加熱調理器。
【請求項６】
トッププレートの下方部に配置されたタッチ検出回路、
導電性薄膜から構成されタッチ検出電極と前記タッチ検出回路とを電気的に接続するための導電電極、
前記導電性薄膜から構成され前記タッチ検出電極及び前記導電電極を接続する接続パターンを有することを特徴とする請求項１記載の誘導加熱調理器。
【請求項７】
タッチスイッチには調理時間設定用のスイッチが含まれ、
トッププレートのうち操作部近傍には前記トッププレートの下方部に配置された時計用発光素子を備える時計表示部が設けられていることを特徴とする請求項２記載の誘導加熱調理器。
【請求項８】
トッププレートには、当該トッププレートの下方部に配置された発光素子を備え誘導加熱手段の動作状態を表示する発光表示部が設けられ、
導電性薄膜は前記発光素子の発光を視認できるような光透過性を有すると共に、前記トッププレートの表面のうち少なくとも前記誘導加熱コイル及び前記発光素子並びに操作部と対応する部分に成膜されていることを特徴とする請求項１ないし７のいずれかに記載の誘導加熱調理器。
【発明の詳細な説明】
【技術分野】
【０００１】
本発明は、誘導加熱手段の上方部に設けられ被加熱物が載置されるトッププレートを有する誘導加熱調理器に関する。
【背景技術】
【０００２】
例えばシステムキッチンの調理台に組み込まれる誘導加熱調理器は、上面が開口した本体ケース内に配置された誘導加熱コイルやコイルヒータ等の複数の加熱手段と、前記本体ケースの上部に配置されたトッププレートを備えて構成されている。前記誘導加熱調理器の前面には操作部が設けられており、作業者は前記操作部を操作して加熱手段の出力を調節するようになっている。
【０００３】
ところが、前記誘導加熱コイルは、その出力の変化を直接的に見ることができない。従って、操作部を操作して出力を調整したときは、姿勢を変えてトッププレート上の被加熱物の加熱状態を見て出力の変化を確認することになり、操作性が悪かった。
これに対して、トッププレートの上面に操作部を設けた誘導加熱調理器がある。上記構成では、操作部とトッププレート上に載置された被加熱物の位置とが近くなるため、被加熱物の加熱状態を見ながら操作部を操作することができる。
【０００４】
この場合、トッププレートの表面に操作ボタン等の突出物があると清掃作業性が悪いため、静電容量式のタッチスイッチから前記操作部を構成することが考えられている。タッチスイッチは、トッププレートの表面に使用者の指が触れることによる静電容量の変化を操作信号として出力するものであり、タッチ検出電極を備えて構成されている。
前記タッチ検出電極は、例えばトッププレートの下面に導電性塗料を印刷することにより前記トッププレートと一体的に構成することができる。しかし、前記導電性塗料は導電材料であるカーボンを含むことから黒色等の暗い色調に限定される。このため、様々な色や色調のトッププレートを提供するためには、トッププレートのうち操作部とそれ以外の部分を別の塗料を用いて別工程で塗装する必要があり、面倒であった。
【特許文献１】特開平１０−２１４６７７号公報
【発明の開示】
【発明が解決しようとする課題】
【０００５】
解決しようとする問題点は、トッププレートのうち操作部とその他の部分とを異なる塗装材料を用いて別工程で塗装しなければ、トッププレートの色や色調を多様にすることができない点である。
【課題を解決するための手段】
【０００６】
本発明は、誘導加熱コイルを有する誘導加熱手段と、前記誘導加熱手段の上方に設けられ被加熱物が載置されるトッププレートと、前記トッププレートに設けられた操作部とを具備する誘導加熱調理器において、トッププレートの色や色調の多様化を図りつつ簡単に前記トッププレートに操作部を設けることができるように、前記トッププレートの表面に、金属、金属酸化物のいずれかからなる導電性薄膜を成膜すると共に、前記操作部を、前記導電性薄膜の一部から構成されたタッチ検出電極を有する静電容量式のタッチスイッチを備えて構成したことを最も主要な特徴とする。
【０００７】
この場合、前記導電性薄膜を光透過性を有するように構成し、前記トッププレートのうち前記タッチ検出電極が設けられている部分の下方部に光源を配置すると良い。
また、前記導電性薄膜をトッププレートの下面に成膜し、前記トッププレートの上面のうちタッチ検出電極を構成する前記導電性薄膜と対向する部分に、光源が発する光を透過させる透過部を有するタッチスイッチ表示用薄膜を設けることも良い構成である。
【０００８】
更に、前記導電性薄膜をトッププレートの下面に成膜し、前記トッププレートの上面のうちタッチ検出電極を構成する前記導電性薄膜と対向する部分に、導電性補助電極を設けることを良い構成である。
この場合、前記導電性補助電極に、光源が発する光を透過させる透過部を設けると良い。
【０００９】
また、本発明は、トッププレートの下方部に配置されたタッチ検出回路、導電性薄膜から構成されタッチ検出電極と前記タッチ検出回路とを電気的に接続するための導電電極、前記導電性薄膜から構成され前記タッチ検出電極及び前記導電電極を接続する接続パターンを備えていても良い。
更に、タッチスイッチに調理時間設定用のスイッチが含まれる場合には、前記トッププレートのうち操作部近傍に時計表示部を設けると良い。前記時計表示部はトッププレートの下方部に配置された発光素子を備えて構成される。
【００１０】
また、前記トッププレートに、当該トッププレートの下方部に配置された発光素子を備え誘導加熱手段の動作状態を表示する発光表示部を設け、前記導電性薄膜を前記発光素子の発光を視認できるような光透過性を有するように構成すると共に前記トッププレートの表面のうち少なくとも前記誘導加熱コイル及び前記発光素子並びに操作部と対応する部分に成膜すると良い。
【発明の効果】
【００１１】
トッププレートの表面に成膜した導電性薄膜は、その厚さや選択した材料により多様な色目や色調を得ることができる。従って、本発明によれば、トッププレートにタッチ検出電極を設けるに当たって、前記タッチ検出電極及び前記トッププレートの着色を、同一材料を用いて同一工程で行うことができ、しかも、トッププレートの色目や色調の多様化を図ることができる。
【００１２】
この場合、前記導電性薄膜を、その厚みを調整することにより光透過性を有するように構成したときは、前記タッチ検出電極の下方部に光源を設けることにより、前記タッチ検出電極の位置を明確にすることができる。また、トッププレートの下方部に配置された発光素子からなる時計表示部をトッププレートに設けると、前記トッププレートの上面に凹凸が生じず、清掃性が良い。
【００１３】
更に、トッププレートの下面に導電性薄膜を成膜することにより、前記導電性薄膜の一部から構成されるタッチ検出電極と前記トッププレートの下部に配置されるタッチ検出電極の検出回路との接続が容易になる。そして、前記タッチ検出電極と対向するトッププレートの上面にタッチスイッチ表示用薄膜や導電性補助電極を設けると、作業者がタッチスイッチを操作するために触れなければならない領域が一層明確になる。特に、導電性補助電極の場合は、作業者の接触状態に関わらず、作業者とタッチ検出電極との間の静電容量を一定にすることができるので、タッチスイッチの検出特性が安定する。
【００１４】
更にまた、誘導加熱調理器の構造上の理由などで、タッチ検出電極とタッチ検出回路とが離れている場合には、タッチ検出電極と前記タッチ検出回路とを電気的に接続するための導電電極、前記タッチ検出電極及び前記導電電極を接続する接続パターンが必要となる。しかし、これら導電電極及び接続バターンも導電性薄膜から構成することができるので、工程数が増えることはない。
【００１５】
また、前記導電性薄膜を、前記トッププレートの表面のうち少なくとも誘導加熱コイル及び発光素子並びに操作部と対応する部分に成膜すると、前記誘導加熱コイルがトッププレートの上方から視認されることを確実に防止できる。
【発明を実施するための最良の形態】
【００１６】
以下、本発明をシステムキッチンに組み込まれる誘導加熱調理器に適用したいくつかの実施例について図面を参照しながら説明する。これら実施例は、本発明の構成を限定するものではない。
（実施例１）
図１ないし図５は本発明の第１の実施例を示している。図１及び図２は本実施例に係る加熱調理器の全体構成を示すものである。これら図１及び図２において、加熱調理器本体１は、調理台２に対して上部から嵌め込まれる上ユニット１ａと、上ユニット１ａの下方部に位置し前記調理台２に対して前方から嵌め込まれる下ユニット１ｂとから構成されている。
【００１７】
上ユニット１ａは、加熱手段としての誘導加熱コイル３，４及びラジエントヒータ５を収容するケース６（いずれも図３参照）と、このケース６の上面開口部を塞ぐトッププレート７とを備えて構成されている。前記トッププレート７は外枠７ａに支持された状態で前記ケース６上に配設されている。
前記トッププレート７の上面の前部には、誘導加熱コイル３，４に対応して誘導加熱部８，９が左右に並んで設けられている。前記トッププレート７の後部中央には、ラジエントヒータ５に対応してヒータ加熱部１０が設けられている。前記加熱部８〜１０には被加熱物である鍋（図示せず）が載置されるようになっている。トッププレート７の上面には、各加熱部８〜１０の領域を確定する円形状の枠部８ａ〜１０ａやデザイン性を有する種々の枠部６０が印刷されている。
【００１８】
本実施例に係る誘導加熱調理器は、トッププレート７の幅寸法が従来よりも大きい「ワイドトッププレート」タイプと称されるものであり、中華鍋等の大きい鍋を前記加熱部８，９に載置しても当該鍋がトッププレート７からはみ出ないようになっている。
前記トッププレート７のうち各誘導加熱部８，９の前部には、誘導加熱コイル３，４の出力状態を表示するコイル用出力表示部１１，１２（発光表示部に相当）が各枠部８ａ，９ａに沿って設けられている。前記コイル用出力表示部１１，１２は、複数の発光素子、例えば発光ダイオード（以下、ＬＥＤ）２２を備えて構成されている。そして、トッププレート７の上面のうち前記ＬＥＤ２２に対応する部分には、誘導加熱コイル３，４の出力の大きさを表す数字や天ぷら調理時における油の温度を表す数字が印刷されている。
【００１９】
また、トッププレート７の前部の中央部には、ラジエントヒータ５の出力状態を表示するヒータ用出力表示部１３が設けられている。前記ヒータ用出力表示部１３は、複数の発光素子、例えば発光ダイオード（以下、ＬＥＤ）２６を備えて構成されている。そして、トッププレート７の上面には前記ＬＥＤ２６の配置領域を確定する枠部１３ａが印刷されている。
【００２０】
更に、トッププレート７の右後部には、操作上の注意点等を表示する注意表示部１４が設けられている。前記注意表示部１４は、トッププレート７の下面に印刷された文字１４ａや文字１４ａを囲む枠１４ｂ等から構成されている。
また、トッププレート７の前部の左右両端部には、誘導加熱コイル３，４を操作するためのタッチ操作部３５，３６がそれぞれ設けられている。各タッチ操作部３５，３６は、誘導加熱コイル３，４の駆動及び停止を指示したり、出力を調節したりするための４個のタッチスイッチ３７〜４０を備えて構成されている。前記タッチ操作部３５，３６の詳細な構成については後述する。
【００２１】
前記トッププレート７は、耐熱性を有する透明ガラス板の下面にチタン等の金属系材料からなる光透過性を有する導電性薄膜１５をスパッタ法により成膜して構成されている。導電性薄膜１５の厚みは数百ｎｍに設定されており、これによりトッププレート７は赤色付近以上の波長をその他の可視光に比べてより良く透過させるようになっている。上記構成により、トッププレート７はメタリック系の色調として観察される。
【００２２】
前記薄膜１５は、トッププレート７の下面のうち前記ヒータ加熱部１０の下面を除く略全体に形成されている。前記トッププレート７のうち前記ヒータ加熱部１０の下面には、耐熱塗装膜１６が設けられている。前記塗装膜１６は導電性薄膜１５に近似した色や色調のものが採用されている。前記塗装膜１６は、その周縁部が薄膜１５とラップするようにトッププレート７の下面に塗布されている。また、注意表示部１４の文字１４ａや枠１４ｂは導電性薄膜１５を成膜するに先立ちトッププレート７の下面に印刷されるようになっている。
【００２３】
一方、図３に示すように、ケース６は誘導加熱コイル３，４、ラジエントヒータ５を収容する薄形矩形箱状の収容部６ａと、その上部左右に張り出すフランジ６ｂとから構成されている。前記収容部６ａは、調理台２の天板２ａに形成された矩形状の開口（図示せず）を通して前記調理台２に嵌め込まれ、前記フランジ６ｂは前記天板２ａの上に載置される。
【００２４】
前記誘導加熱コイル３，４、ラジエントヒータ５は、いずれも収容部６ａ内のうち前記誘導加熱部８，９及びヒータ加熱部１０の下方部に配置されている。前記ラジエントヒータ５は、ニクロム線に直流電流を通電することにより発熱するようになっている。また、前記収容部６ａ内の後部右側には冷却ファン装置１８が配設されている。
前記誘導加熱コイル３，４の近傍には、いずれも防磁リング１９ａが配置されている。前記誘導加熱コイル３，４の中央部には温度センサ１９ｂが配置されている。また、ケース６内のうち前記誘導加熱コイル４の下方部には前記加熱コイル３，４に高周波電流を供給するインバータ１９ｃが設けられている。前記誘導加熱コイル３，４、インバータ４９（図５参照）、防磁リング１９ａ、温度センサ１９ｂ等から誘導加熱組立１９（誘導加熱手段に相当）が構成される。
【００２５】
誘導加熱組立１９は、誘導加熱コイル３，４がそれぞれトッププレート７の下面に近接した状態で誘導加熱部８，９の下方部に位置するようにケース６内にネジ止めされている。そして、誘導加熱組立１９の外周部の前半部には基板取付部材２０がねじ止めされている。前記基板取付部材２０にはプリント基板２１が取り付けられている。前記プリント基板２１には複数の前記ＬＥＤ２２が実装されている。基板取付部材２０、プリント基板２１、ＬＥＤ２２は、前記コイル用出力表示部１１，１２を構成する。
【００２６】
前記ラジエントヒータ５は、ケース６内に固定され上面が開口する円形状の断熱性容器たるベース２３内の底部に配置されている。前記ベース２３は支持枠２４を介してケース６の底部にねじ止めされている。前記ベース２３の上端面は、トッププレート７の下面のうち薄膜１５と塗装膜１６とがラップする部分に当接されている。
また、ケース６内の前部の中央部にはプリント基板２５が配置されている。前記プリント基板２５には複数のＬＥＤ２６が実装されている。プリント基板２５及びＬＥＤ２６はヒータ用出力表示部１３を構成する。前記ＬＥＤ２２，２６は、いずれも波長が６００〜６５０ｎｍ程度の赤色光を放射するように構成されている。これにより、前記ＬＥＤ２２，２６が放射する光の一部（約１０％）は、いずれも導電性薄膜１５が成膜されたトッププレート７を透過し、トッププレート７の上部から視認可能となっている。
【００２７】
尚、図２に示すように、下ユニット１ｂは、キャビネット２７内の左部に設けられたロースタ２８、前記ロースタ２８の前面扉２８ａの右部に設けられた操作パネル２９を備えて構成されている。前記ロースタ２８は図示しないシーズヒータを熱源とする。前記操作パネル２９には、電源スイッチ３０や、前記誘導加熱コイル３，４、ラジエントヒータ５、ロースタ２８のシーズヒータをオン・オフしたり出力を調整したりするためのダイヤル３１〜３４が設けられている。詳しい説明及び図示は省略するが、前記ダイヤル３１〜３４はいずれも回転型のロータリーエンコーダ及びプッシュ−プッシュ式のスイッチを有するスイッチ機構に連結されている。
【００２８】
次に、タッチ操作部３５，３６の構成について詳しく説明する。各タッチ操作部３５，３６は、それぞれ４個の前記タッチスイッチ３７と、前記タッチスイッチ３７のタッチ操作に応じた検出信号を出力するタッチ検出回路３８（図５参照）とを備えて構成されている。各タッチ操作部３５，３６のタッチ検出回路３８は、それぞれ収容部６ａ内の前部の左右部に配置された回路基板３９に搭載されている。タッチ操作部３５，３６の構成は略同じであるため、ここでは左側のタッチ操作部３５の構成を中心に説明する。
【００２９】
図４はタッチ操作部３５の周辺部分を拡大して示す分解斜視図である。この図４に示すように、前記タッチスイッチ３７は、それぞれトッププレート７の上面に設けられた接触部４０と、トッププレート７の下面に前記接触部４０に対応して設けられたタッチ検出電極４１と、前記タッチ検出回路３８に板バネ４２を介して接続される導電電極４３と、前記タッチ検出電極４１と前記導電電極４３とを繋ぐ接続パターン４４とから構成されている。
【００３０】
前記タッチ検出電極４１、導電電極４３、接続パターン４４は、いずれも導電性薄膜１５と同じチタン等の金属系材料をトッププレート７の下面にスパッタ法により成膜することにより構成されている。
この場合、各タッチスイッチ３７のタッチ検出電極４１、接続パターン４４、導電電極４３及び前記導電性薄膜１５は、トッププレート７の下面のうち前記塗装膜１６の形成部分及びタッチ検出電極４１、接続パターン４４、導電電極４３の周囲部をマスキングした後、金属系材料をスパッタ法で成膜することにより同時に形成される。
【００３１】
この結果、各タッチスイッチ３７のタッチ検出電極４１、接続パターン４４、導電電極４３の間及びこれらと導電性薄膜１５との間にはトッププレート７の表面が露出する露出部が形成される。この露出部４５は、各タッチスイッチ３７のタッチ検出電極４１、接続パターン４４、導電電極４３を相互に及びこれらと導電性薄膜１５とを電気的に離間させるために設けられている。
【００３２】
また、前記接触部４０はトッププレート７の上面に導電性塗料を印刷することにより構成されている。各接触部４０の表面には、タッチスイッチ３７の機能を示す文字や記号が印刷されている。従って、前記接触部４０は、タッチスイッチ３７について使用者が接触する領域を確定すると共に、前記タッチ検出電極４１との間で等価的にコンデンサを形成する導電性補助電極としても機能する。
【００３３】
尚、トッププレート７の上面のうち前記導電電極４３や接続パターン４４、露出部４５に対応する部分には、これらを覆い隠すための塗装４６が施されている。
図５は、本実施例の誘導加熱調理器の一方（左方）の誘導加熱コイル３に関する概略的な電気的構成を示す図である。図５において、マイコン４７には、インバータ制御回路４８及びタッチ検出回路４１が接続されている。前記インバータ制御回路４８は、誘導加熱コイル３に高周波電流を供給するインバータ４９を制御する。
【００３４】
前記タッチ検出回路４１は、並列接続された４個の回路部５１から構成されている。４個の回路部５１はそれぞれ４個のタッチスイッチ３７に対応しており、所定周波数の発振信号を出力する発振回路５２の出力端子に直列接続されたコンデンサ５３、ダイオード５４、アナログスイッチ５５から構成されている。前記コンデンサ５３と前記ダイオード５４の間には前記タッチ検出電極４１が接続されており、前記ダイオード５４とアナログスイッチ５５の間は抵抗５６及びチャージコンデンサ５７を介してアースされている。前記アナログスイッチ５５の出力端子はマイコン４７のＡ／Ｄ入力ポートに接続されている。前記アナログスイッチ５５の制御端子はマイコン４７の出力ポートのデジット出力に制御されるようになっている。
【００３５】
発振回路５２の出力電流は、コンデンサ５３、ダイオード５４を介してチャージコンデンサ５７を充電する。チャージコンデンサ５７の電圧は、アナログスイッチ５５の制御端子に印加されている制御信号が「ＨＩ」のとき前記マイコン４７のＡ／Ｄ入力ポートに印加されるようになっている。
尚、図５に示す回路５１ａは、ダイオード５４、アナログスイッチ５５、抵抗５６、チャージコンデンサ５７からなる回路を示している。また、前記マイコン４７には、操作パネル２９やコイル用出力表示部１１が接続されている。
【００３６】
上記構成においては、使用者がトッププレート７の上面の接触部４０に触れると、タッチ検出電極４１と接触部４０との間で等価的にコンデンサが形成され、発振回路５２の出力が人体を介して大地に流れるため、チャージコンデンサ５７の電圧が低下する。このチャージコンデンサ５７の電圧の低下がマイコン４７により検出されると、マイコン４７はタッチスイッチ３７が操作されたことを検知する。これにより、対応する誘導加熱コイル３、４の出力がオン・オフ或いは変更される。
【００３７】
このように本実施例では、トッププレート７に誘導加熱コイル３，４のタッチ操作部３５，３６を設けたため、トッププレート７上の被加熱物の加熱状態を見ながら誘導加熱コイル３，４の出力を調節することができ、操作性、作業性が向上する。
また、導電性薄膜１５とタッチ検出電極４１の材料が同じであるため、両者をトッププレート７の表面に同時に成膜することができる。このため、タッチ検出電極４１を容易に且つ安価に構成できる。しかも、導電性薄膜１５はその厚み寸法や材料によって多様な色目や色調を得ることができるため、トッププレート７の色の多様化を図ることができる。
【００３８】
また、本実施例では、トッププレート７の下面にタッチ検出電極４１を設けた。このため、タッチ検出電極４１とタッチ検出回路３８とを容易に接続することができる。しかも、本実施例ではワイドトッププレートを採用し、トッププレート７の左右端部にタッチ操作部３５，３６を設けた。従って、トッププレート７の上に載置される被加熱物によりタッチ操作部３５，３６が隠される虞がない。
【００３９】
この場合、タッチ検出電極４１とタッチ検出回路３８とが離れるため、前記タッチ検出電極４１とタッチ検出回路３８とを接続するための接続パターン４４及び導電電極４３が必要となる。しかし、これら接続パターン４４及び導電電極４３もタッチ検出電極４１と同様に、導電性薄膜１５と同じ材料を用いて同じ工程で構成することができる。従って、接続パターン４４及び導電電極４３を設けたことによる製造工程数の増加、製造コストの上昇を抑えることができる。
【００４０】
また、本実施例では、タッチスイッチ３７の接触部４０をタッチ検出電極４１の補助電極として機能するように構成した。このため、作業者による接触部４０の接触状態に関係なく作業者の指とタッチ検出電極４１との間の静電容量を一定にすることができ、タッチスイッチ３７の検出特性が安定する。
更に、本実施例では、トッププレート７の下面のうちヒータ加熱部１０の下面を除く領域の略全体に導電性薄膜１５を成膜すると共に、前記ヒータ加熱部１０の下面に塗装膜１６を施した。また、トッププレート７の上面のうちタッチ操作部３５，３６に対応する部分に塗装４６を施した。このため、トッププレート７の上から収容部６ａ内の様子が見えることがなく、外観性の向上を図ることができる。
【００４１】
（実施例２）
図６及び図７は本発明の第２の実施例を示すものであり、第１の実施例と異なるところを説明する。尚、第１の実施例と同一部分には同一符号を付している。
本実施例では、収容部６ａ内のうち接触部４０の下方部に発光光源としてのＬＥＤ６１を配置すると共に、前記接触部４０に前記ＬＥＤ６１が発する光を透過させる透過部６２を設けている。前記透過部６２は、その部分に導電性塗料を印刷しないことにより形成されており、タッチスイッチ３７の機能を示す文字や記号（例えば「入」や「切」、矢印）の形状になっている。従って、本実施例では、前記接触部４０はタッチスイッチ表示用薄膜、導電性補助電極として機能する。
【００４２】
接触部４０の下方部にＬＥＤ６１を配置するため、本実施例では、前記接触部４０はトッププレート７の左右端部よりもやや中央寄りの部位に配置されている。つまり、トッププレート７のうち下方部にケース６のフランジ６ｂではなく収容部６ａが位置する部位に接触部４０が配置されている。このため、接触部４０と対応する部分に設けられたタッチ検出電極４１は直接、板ばね４２を介して回路基板３９（タッチ検出回路３８）に接続されている。
【００４３】
前記ＬＥＤ６１は回路基板３９に実装されている。各ＬＥＤ６１の周囲部には回路基板３９からトッププレート７の下面付近まで延びる遮光部６３が設けられている。各ＬＥＤ６１は、ＬＥＤ２２，２６とは異なる波長、例えば５００〜５５０ｎｍ程度の緑色光を放射するように構成されている。従って、前記トッププレート７を殆ど透過しない。
上記構成により、トッププレート７の上方から見たときに透過部６２を通してＬＥＤ６１の光が見える。従って、使用者は、接触部４０の位置を明確に認識することができる。
【００４４】
（実施例３）
図８は本発明の第３の実施例を示すものであり、第２の実施例と異なるところを説明する。この実施例では、タッチ操作部３５に時間設定機能を有する例えば調理時間設定スイッチ７１を設けると共に、前記スイッチ操作部３５の後部に時計表示部７２を設けている。また、図示しないが、タッチ操作部３６も同様の構成になっている。尚、本実施例では、トッププレート７はワイドトッププレートではなく、収容部６ａと略同じ幅寸法のものが採用されている。
【００４５】
前記調理時間設定スイッチ７１は、第２の実施例で示したタッチスイッチ３７と同様に、接触部４０、タッチ検出電極（図示せず）、ＬＥＤ（図示せず）等を備えて構成されている。また、接触部４０には、ＬＥＤの光を透過する透過部６２が設けられている。
前記時計表示部７２は、収容部６ａ内の回路基板７３に実装された７セグメントの数字表示として機能する複数のＬＥＤ７４（時計用発光素子に相当）から構成されている。前記ＬＥＤ７４は、いずれも波長が６００〜６５０ｎｍ程度の赤色光を放射するもので、トッププレート７の上から視認可能となっている。
【００４６】
このような構成によれば、調理時間設定スイッチ７１と時計表示部７２とが近接するため、前記設定スイッチ７１の操作性が向上する。また、ＬＥＤ７４を収容部６ａ内に配置したため、時計表示部７２を設けたことによりトッププレート７の表面に凹凸が生じることがなく、清掃作業に支障を来たすことはない。
尚、本発明は上記した実施例に限定されるものではなく、例えば次のような変形が可能である。
【００４７】
接触部は導電性を有しない塗料を用いて構成しても良い。この場合、タッチ検出電極との間でコンデンサが構成されないため、接触部に対する作業者の指の接触状態によってタッチ検出電極との間の静電容量が一定にならず、検出特性が不安定になるが、接触部分を明確にすることはできる。
第２及び第３の実施例では、接触部に透過部を設けたが、接触部自身が光透過性を有する場合には前記透過部を設けなくても良い。この場合、接触部の下方に配置する発光光源は、前記接触部を透過可能な波長の光を放射するものを採用する。
【００４８】
また、第２及び第３の実施例においては、接触部を省略しても良い。即ち、接触部がなくても、ＬＥＤが放射し、前記タッチ検出電極を透過する光によりタッチスイッチの位置を画定することができる。
特定の光透過特性を有する有色ガラス板に光透過性を有する導電性薄膜を成膜することによりトッププレートを構成しても良い。
【００４９】
また、導電性薄膜はガラス板の上面に成膜されていても良い。
導電性薄膜の材料としてはチタンに限定されるものではなく、金、銅、アルミ等の金属やＴｉＯ２，ＳｎＯ２，ＩｎＯ２等の金属酸化物を用いることが可能である。即ち、トッププレートの色や色調、表示部を構成するＬＥＤの発光波長領域に応じて膜材料を選定すると良い。また、導電性薄膜の厚み寸法は、透過させたい発光素子の光波長領域に応じて数十〜数百ミクロン程度に設定可能である。更に、導電性薄膜の成膜方法としては、スパッタ法の他、真空蒸着法などの物理的製法、スプレー法やディップ法等の化学的製法を用いることができる。
【００５０】
本発明は、誘電加熱コイルのみを備える構成にも適用できる。また、調理台に組み込まれる誘導加熱調理器に限らず、調理台等に載置されて使用される誘導加熱調理器にも適用できる。
【図面の簡単な説明】
【００５１】
【図１】本発明の第１の実施例を示す誘導加熱調理器の全体構成を示す上面図
【図２】誘導加熱調理器の正面図
【図３】トッププレートを取り外して示す誘導加熱調理器の平面図
【図４】タッチ操作部周辺を拡大して示す分解斜視図
【図５】電気的構成を示す図
【図６】本発明の第２の実施例を示すものであり、タッチ操作部周辺の上面図
【図７】図６のＸ−Ｘ線に沿う縦断面図
【図８】本発明の第３の実施例を示すものであり、タイマ表示部周辺の上面図
【符号の説明】
【００５２】
図中、１は加熱調理器本体、３，４は誘導加熱コイル、７はトッププレート、１１，１２はコイル用出力表示部（発光表示部）、１５は導電性薄膜、１９は誘導加熱組立（誘導加熱手段）、２２，２６はＬＥＤ（発光素子）、３５，３６はタッチ操作部、３７はタッチスイッチ、３８はタッチ検出回路、４０は接触部（タッチスイッチ表示用薄膜、導電性補助電極）、４３は導電電極、４４は接続パターン、６１はＬＥＤ（発光光源）、６２は透過部、７１は調理時間設定スイッチ、７２は時計表示部、７４はＬＥＤ（時計用発光素子）を示す。
【図１】
2005038739.tif 000003
【図２】
2005038739.tif 000004
【図３】
2005038739.tif 000005
【図４】
2005038739.tif 000006
【図５】
2005038739.tif 000007
【図６】
2005038739.tif 000008
【図７】
2005038739.tif 000009
【図８】
2005038739.tif 000010